(57)【要約】【課題】  移動機の在圏エリアを登録するデータベースを改良することにより、着信先の移動機が応答する確度の高いエリアのみにページングを行うことができる無線通信ネットワークシステムを実現する。【解決手段】  移動機１から登録要求を受けたエリア情報を、新しい順に且つ移動機ごとに、移動機１のメモリに記憶するエリア情報の個数と同数以上を記憶するデータベース２０を備えたことを特徴とする。【選択図】    図１
2006140704.tif 000002
【特許請求の範囲】
【請求項１】
網から受信したエリア情報を新しい順に複数をメモリに記憶し、
現在受信するエリア情報が、前記メモリに記憶しているエリア情報の全てと異なる場合には、網に対して該現在受信するエリア情報を登録要求し、
現在受信するエリア情報が、前記メモリに記憶しているエリア情報のいずれかと同じである場合には、網に対して該現在受信するエリア情報を登録要求しない移動機、
を端末とする無線通信ネットワークシステムにおいて、
前記移動機から登録要求を受けたエリア情報を、新しい順に且つ前記移動機ごとに、前記移動機のメモリに記憶するエリア情報の個数と同数以上を記憶するデータベース手段を備えたことを特徴とする無線通信ネットワークシステム。
【請求項２】
前記移動機に対する着信時に、前記データベース手段から当該移動機のエリア情報を読み出し、このエリア情報に基づいて当該移動機に対するページングを行うページング制御手段を備えたことを特徴とする請求項１に記載の無線通信ネットワークシステム。
【請求項３】
前記ページング制御手段は、前記着信の通信種別を取得し、当該通信種別に応じてページングの仕方を変更することを特徴とする請求項２に記載の無線通信ネットワークシステム。
【請求項４】
前記ページング制御手段は、通話開始の即時性が要求される着信通信種別であった場合、前記データベース手段から読み出したエリア情報が示す全エリアに対する一斉ページングを行うことを特徴とする請求項３に記載の無線通信ネットワークシステム。
【請求項５】
前記ページング制御手段は、通話開始の即時性が要求される着信通信種別以外であった場合、前記データベース手段から読み出したエリア情報が示す複数のエリアに対して最新のエリアから順次ページングを試みることを特徴とする請求項３に記載の無線通信ネットワークシステム。
【請求項６】
網から受信したエリア情報を新しい順に複数をメモリに記憶し、
現在受信するエリア情報が、前記メモリに記憶しているエリア情報の全てと異なる場合には、網に対して該現在受信するエリア情報を登録要求し、
現在受信するエリア情報が、前記メモリに記憶しているエリア情報のいずれかと同じである場合には、網に対して該現在受信するエリア情報を登録要求しない移動機、
を端末とする無線通信ネットワークシステムにおけるページング方法であって、
前記移動機から登録要求を受けたエリア情報を、新しい順に且つ前記移動機ごとに、前記移動機のメモリに記憶するエリア情報の個数と同数以上を記憶するデータベースを構築する過程を含むことを特徴とするページング方法。
【請求項７】
前記移動機に対する着信時に、前記データベース手段から当該移動機のエリア情報を読み出し、このエリア情報に基づいて当該移動機に対するページングを行う過程をさらに含むことを特徴とする請求項６に記載のページング方法。
【請求項８】
前記ページングを行う過程において、前記着信の通信種別を取得し、当該通信種別に応じてページングの仕方を変更することを特徴とする請求項７に記載のページング方法。
【請求項９】
通話開始の即時性が要求される着信通信種別であった場合、前記データベースから読み出したエリア情報が示す全エリアに対する一斉ページングを行うことを特徴とする請求項８に記載のページング方法。
【請求項１０】
通話開始の即時性が要求される着信通信種別以外であった場合、前記データベースから読み出したエリア情報が示す複数のエリアに対して最新のエリアから順次ページングを試みることを特徴とする請求項８に記載のページング方法。
【発明の詳細な説明】
【技術分野】
【０００１】
本発明は、無線通信ネットワークシステムおよびページング方法に関する。
【背景技術】
【０００２】
携帯電話ネットワークシステムでは、加入している移動機に着信があった時に当該移動機を呼び出すページングを行う。図６は、従来のページング方法を説明するための説明図である。図６において、移動機１は、網から受信するエリア情報に基づき、現在位置する在圏エリアを特定し、特定した在圏エリアを網に登録要求する。この要求タイミングは、在圏エリアの変化時である。網は在圏エリアの登録要求を受信し、当該在圏エリアを網のデータベース１２０内の当該加入者の加入者データ中に含めて登録する。一加入者当たりのデータベース１２０に登録可能な在圏エリアは、最新登録分の一エリアのみである。
【０００３】
一方、移動機１は、網へ登録要求済みの最新２つの在圏エリアを示す在圏エリア登録済み情報をメモリに記憶する。そして、網から受信したエリア情報に基づき特定した現在の在圏エリアが、メモリ内の在圏エリア登録済み情報で示されるいずれかの登録要求済み在圏エリアと同じである場合には、移動機１は、網への在圏エリア登録要求を一定の時間だけ停止する。これは、移動機１が複数のエリアの境界付近に在り、電波状況に応じて該複数のエリアの中で在圏エリアが変化する場合には、頻繁に在圏エリア登録要求が発生して移動機１の電力消費量が増大することを防止するための処理である。また、網のデータベース１２０の更新にかかる負荷を軽減する効果もある。
【０００４】
例えば、図６の移動機１がエリア１からエリア２に移動し、再度エリア１に戻ったとする。このときの在圏エリア登録要求は、先ず、エリア１でエリア１を登録要求し、次いでエリア２でエリア２を登録要求する。これにより、データベース１２０に登録される当該移動機１の在圏エリアは最新の登録要求によるエリア２となる。また、当該移動機１が記憶する在圏エリア登録済み情報はエリア１及びエリア２を示す。これにより、移動機１がエリア２からエリア１に戻った時には、当該移動機１で保存する在圏エリア登録済み情報によるエリア１と、網から受信したエリア情報に基づき特定した現在の在圏エリアであるエリア１とが一致するので、移動機１はエリア１の在圏エリア登録要求を一定の時間停止する。従って、移動機１はエリア２からエリア１に移動しているが、データベース１２０に登録される在圏エリアはエリア２のまま変更されない。
【０００５】
上記したような移動機からの在圏エリア登録要求方法に対して、図６に示す従来の携帯電話交換機１００に備わるページング制御部１１０は、移動機１に対する着信があると、先ず、データベース１２０内の該当する加入者データから在圏エリアを検出し、当該在圏エリアに対して当該移動機１のページングを行う（ステップＳ１０１）。図６の例では、データベース１２０に登録されている在圏エリアはエリア２であるので、先ず、エリア２に対して移動機１のページングを行う。ここで、上記のように移動機１がエリア２からエリア１へ戻っている場合、当該ページングに対する応答はない。
【０００６】
次いで、ページング制御部１１０は、該ページングに対する応答がない場合、データベース１２０内のシステムデータから、該ページングしたエリア２の隣接エリアを検出し、検出した各隣接エリアに対して一斉に移動機１のページングを行う（ステップＳ１０２）。図６の例では、エリア２の隣接エリアは、エリア１，３，４，５，６，７であるので、各エリア１，３，４，５，６，７に対して一斉に移動機１のページングを行う。これにより、エリア１に在る移動機１はエリア１におけるページングに応答し、ページングが完了する。
【０００７】
非特許文献１には、移動機の仕様が開示されている（2.6.5.1.5 Zone-Based Registration, p.2-353）。この非特許文献１の仕様では、移動機は位置情報を網が指定する数分（TOTAL_ZONES）を記憶する。また、非特許文献１には、網（交換機）の仕様が開示されている（3.7.2.3.2.1 System Parameters Message,p.3-103）。この非特許文献１の仕様では、網は移動機が記憶する位置情報の数（TOTAL_ZONES）を指定する。
【非特許文献１】“3GPP2 Specifications TSG-C Specifications C.S0005-A v6.0（Upper Layer (Layer 3) Signaling Standard for cdma2000 Spread Spectrum Systems - Release A, Addendum 2）”、［online］、２００２年２月、［平成１６年１０月４日検索］、インターネット＜ＵＲＬ：http://www.3gpp2.com/Public_html/specs/C.S0005-A_v6.0.pdf＞
【発明の開示】
【発明が解決しようとする課題】
【０００８】
しかし、上述した従来のページング方法では、データベースに登録されている在圏エリアに対するページングの失敗に引き続き、該登録在圏エリアの各隣接エリアに対して一様にページングを試みるが、実際に移動機が応答可能なエリアは唯一であり、それ以外のエリアに対するページングは不要なものである。ページングに使用されるページングチャネルは、無線リソースの配分比率、例えば電力配分の比率が大きいので、そのチャネル数には制限があり、ページングチャネルの使用効率をできる限り高めることが要求される。しかしながら、上記したように従来のページング方法では、実際には不要なエリアも含めて一斉ページングを行うので、ページングチャネルの使用効率が悪い。
【０００９】
このような事態が発生する原因は、上述したように、移動機が網へ登録要求済みの最新２つの在圏エリアを覚えておき、在圏エリアの変化時であったとしても、変化後の在圏エリアと該記憶している登録要求済み在圏エリアのいずれかとが一致した場合には、網への在圏エリア登録要求を一定の時間だけ停止することにより、網のデータベースに登録されている在圏エリアが、実際の在圏エリアと必ずしも一致しない、つまり、移動機が応答可能なエリアと必ずしも一致しないという点にある。
【００１０】
本発明は、このような事情を考慮してなされたもので、その目的は、移動機の在圏エリアを登録するデータベースを改良することにより、着信先の移動機が応答する確度の高いエリアのみにページングを行うことができる無線通信ネットワークシステムおよびページング方法を提供することにある。
【課題を解決するための手段】
【００１１】
上記の課題を解決するために、本発明に係る無線通信ネットワークシステムは、網から受信したエリア情報を新しい順に複数をメモリに記憶し、現在受信するエリア情報が、前記メモリに記憶しているエリア情報の全てと異なる場合には、網に対して該現在受信するエリア情報を登録要求し、現在受信するエリア情報が、前記メモリに記憶しているエリア情報のいずれかと同じである場合には、網に対して該現在受信するエリア情報を登録要求しない移動機、を端末とする無線通信ネットワークシステムにおいて、前記移動機から登録要求を受けたエリア情報を、新しい順に且つ前記移動機ごとに、前記移動機のメモリに記憶するエリア情報の個数と同数以上を記憶するデータベース手段を備えたことを特徴とする。
【００１２】
本発明に係る無線通信ネットワークシステムにおいては、前記移動機に対する着信時に、前記データベース手段から当該移動機のエリア情報を読み出し、このエリア情報に基づいて当該移動機に対するページングを行うページング制御手段を備えたことを特徴とする。
【００１３】
本発明に係る無線通信ネットワークシステムにおいては、前記ページング制御手段は、前記着信の通信種別を取得し、当該通信種別に応じてページングの仕方を変更することを特徴とする。
【００１４】
本発明に係る無線通信ネットワークシステムにおいては、前記ページング制御手段は、通話開始の即時性が要求される着信通信種別であった場合、前記データベース手段から読み出したエリア情報が示す全エリアに対する一斉ページングを行うことを特徴とする。
【００１５】
本発明に係る無線通信ネットワークシステムにおいては、前記ページング制御手段は、通話開始の即時性が要求される着信通信種別以外であった場合、前記データベース手段から読み出したエリア情報が示す複数のエリアに対して最新のエリアから順次ページングを試みることを特徴とする。
【００１６】
本発明に係るページング方法は、網から受信したエリア情報を新しい順に複数をメモリに記憶し、現在受信するエリア情報が、前記メモリに記憶しているエリア情報の全てと異なる場合には、網に対して該現在受信するエリア情報を登録要求し、現在受信するエリア情報が、前記メモリに記憶しているエリア情報のいずれかと同じである場合には、網に対して該現在受信するエリア情報を登録要求しない移動機、を端末とする無線通信ネットワークシステムにおけるページング方法であって、前記移動機から登録要求を受けたエリア情報を、新しい順に且つ前記移動機ごとに、前記移動機のメモリに記憶するエリア情報の個数と同数以上を記憶するデータベースを構築する過程を含むことを特徴とする。
【００１７】
本発明に係るページング方法においては、前記移動機に対する着信時に、前記データベース手段から当該移動機のエリア情報を読み出し、このエリア情報に基づいて当該移動機に対するページングを行う過程をさらに含むことを特徴とする。
【００１８】
本発明に係るページング方法においては、前記ページングを行う過程において、前記着信の通信種別を取得し、当該通信種別に応じてページングの仕方を変更することを特徴とする。
【００１９】
本発明に係るページング方法においては、通話開始の即時性が要求される着信通信種別であった場合、前記データベースから読み出したエリア情報が示す全エリアに対する一斉ページングを行うことを特徴とする。
【００２０】
本発明に係るページング方法においては、通話開始の即時性が要求される着信通信種別以外であった場合、前記データベースから読み出したエリア情報が示す複数のエリアに対して最新のエリアから順次ページングを試みることを特徴とする。
【発明の効果】
【００２１】
本発明によれば、移動機から登録要求を受けたエリア情報を、新しい順に且つ移動機ごとに、移動機のメモリに記憶するエリア情報の個数と同数以上をデータベースに記憶するので、当該データベースに基づいて着信先の移動機が応答する確度の高いエリアのみにページングを行うことができる。これにより、ページングチャネルの使用効率を改善することが可能となる。
【００２２】
また、着信の通信種別に応じてページングの仕方を変更することにより、着信ごとに最適なページングを行うことが可能となる。通話着信時等のように、通話開始の即時性が要求される場合には、データベースに登録されている着信先の移動機に係る全エリアに対する一斉ページングを行うことにより、いち早く着信先の移動機を呼び出して通話開始までの時間を短縮することができる。また、データ通信着信時等のように、さほど通話開始の即時性が要求されない場合には、データベースに登録されている着信先の移動機に係る複数のエリアに対して最新のエリアから順次ページングを試みることにより、ページングチャネルの使用数を減らすことが可能となる。
【発明を実施するための最良の形態】
【００２３】
以下、図面を参照し、本発明の一実施形態について説明する。
図１は、本発明の一実施形態に係る無線通信ネットワークシステムの構成を示すブロック図である。図１において、移動機１は、例えば携帯電話機や携帯データ通信端末機であり、当該無線通信ネットワークシステムの一加入端末である。この移動機１は、上述した従来の移動機と同様であり、網から受信するエリア情報に基づき、現在位置する在圏エリアを特定し、特定した在圏エリアを網に登録要求する。エリア情報は、エリアを特定可能な情報である。この要求タイミングは、在圏エリアの変化時である。また、移動機１は、網へ登録要求済みの最新２つの在圏エリアを示す在圏エリア登録済み情報をメモリに記憶する。そして、網から受信したエリア情報に基づき特定した現在の在圏エリアが、メモリ内の在圏エリア登録済み情報で示されるいずれかの登録要求済み在圏エリアと同じである場合には、移動機１は、網への在圏エリア登録要求を一定の時間だけ停止する。
【００２４】
なお、移動機１は、網から受信したエリア情報を新しい順に複数をメモリに記憶し、現在受信するエリア情報が、該メモリに記憶しているエリア情報の全てと異なる場合には、網に対して該現在受信するエリア情報を登録要求し、現在受信するエリア情報が、該メモリに記憶しているエリア情報のいずれかと同じである場合には、網に対して該現在受信するエリア情報を登録要求しないものであってもよい。
【００２５】
無線通信ネットワークシステムの各エリアには、基地局２がそれぞれ配置されている。携帯電話交換機１０は、基地局制御装置３を介して各基地局２との間でデータを送受信する。また、携帯電話交換機１０は、無線通信ネットワークシステム内に設けられたデータベース２０にアクセスすることができる。携帯電話交換機１０は、移動機１からの在圏エリア登録要求を受信し、当該在圏エリアをデータベース２０に登録するエリア情報登録部を有する（図示せず）。
【００２６】
また、携帯電話交換機１０は、ページング動作を制御するページング制御部１１を有する。ページング制御部１１は、データベース２０に記録されている加入者データを読み出すことができる。また、基地局制御装置３を介して各基地局２に対して、該当エリアにおけるページングの実行を指示することができる。
【００２７】
図２は、図１に示すデータベース２０に記録されている加入者データに含まれる在圏エリア情報２１の構成例を示す図である。図２において、在圏エリア情報２１は、移動機ごとに設けられ、当該移動機から登録要求のあった在圏エリアを、新しい順に、移動機が在圏エリア登録済み情報により記憶する登録要求済み在圏エリアの記憶数分を示す。本実施例では、移動機１が前記在圏エリア登録済み情報により記憶する登録要求済み在圏エリアの数が２つであるので、図２に示されるように、在圏エリア情報２１は、最新の登録要求による在圏エリア（最新エリア）と前回の登録要求による在圏エリア（前回エリア）とを示す。ページング制御部１１は、この在圏エリア情報２１に基づいて当該移動機１に対するページングを行う。
【００２８】
図２の例では、最新エリアとしてエリア２が在圏エリア情報２１により示され、また、前回エリアとしてエリア１が在圏エリア情報２１により示されている。この例は、例えば、図１の移動機１がエリア１からエリア２に移動した場合に、在圏エリア登録要求として、先ず、エリア１でエリア１を登録要求し、次いでエリア２でエリア２を登録要求したときに相当する。ここで、当該移動機１に着信があった場合、当該移動機１がエリア２に留まっていれば当該在圏エリア情報２１の最新エリア（エリア２）で当該移動機１に対するページングを行うことにより、当該ページングに対する応答を得てページングは成功する。
【００２９】
一方、移動機１がエリア２での在圏エリア登録要求後にエリア１に戻った場合、当該移動機１が記憶する登録要求済み在圏エリアはエリア１及びエリア２であるので、当該移動機１は今回のエリア１でのエリア１の登録要求を一定の時間だけ停止する。しかし、データベース２０には前回エリアとしてエリア１が登録されているので、該前回エリア（エリア１）で当該移動機１に対するページングを行うことにより、当該ページングに対する応答を得てページングは成功となる。
【００３０】
このように本実施形態によれば、移動機から登録要求のあった在圏エリアを、新しい順に、移動機が記憶する登録要求済み在圏エリアの記憶数分をデータベース２０に登録することにより、該データベース２０に基づき、着信先の移動機が応答する確度の高いエリアのみにページングを行うことができる。これにより、ページングチャネルの使用効率を改善することが可能となる。
【００３１】
なお、データベース２０は、移動機が記憶する登録要求済み在圏エリアの記憶数と同数以上の在圏エリアを、新しい順に且つ移動機ごとに記憶してもよい。
【００３２】
また、データベース２０は、移動機１から登録要求を受けたエリア情報を、新しい順に且つ移動機ごとに、移動機１のメモリに記憶するエリア情報の個数と同数以上を記憶するものであってもよい。
【００３３】
次に、図３を参照して、ページング制御部１１の動作を説明する。図３は、ページング制御部１１の動作フロー図である。
図３において、ある移動機１に対する着信があると、ページング制御部１１は、先ず、データベース２０から、当該着信先の移動機１に係る加入者データ中の在圏エリア情報２１を読み出す（ステップＳ１）。次いで、当該着信の通信種別を取得し確認する（ステップＳ２）。この確認の結果に応じて、ページング制御部１１はページングの仕方を変更する。通信種別が音声電話或いはテレビ電話などの通話である場合、ページング制御部１１は、データベース２０から読み出した在圏エリア情報２１が示す全エリアに対して、一斉にページングを行う（ステップＳ３）。
【００３４】
図２の例では、最新エリアのエリア２と前回エリアのエリア１の双方に対して一斉にページングを行う。これにより、当該ページング先の移動機１が、最新エリアのエリア２に留まっていたとしても、一方、図４に示されるように、最新エリアのエリア２から前回エリアのエリア１に戻り当該エリア１の登録要求を一定の時間停止していたとしても、いずれの場合とも問題なく当該移動機１からページングに対する応答を得ることができ、当該ページングが成功する。
【００３５】
このように、通話着信時には、通話開始の即時性が要求されるので、在圏エリア情報２１が示す全エリアに対する一斉ページングを行うことにより、いち早く着信先の移動機を呼び出して通話開始までの時間を短縮する。
【００３６】
一方、通信種別がデータ通信である場合、ページング制御部１１は、先ず、データベース２０から読み出した在圏エリア情報２１が示す最新エリアに対して、ページングを行う（ステップＳ４）。次いで、この最新エリアにおけるページングに対する応答の有無によって当該ページングの成否を判定する（ステップＳ５）。この判定はページングの実行指示時点から一定期間内に応答があったか否かによって行う。次いで、最新エリアにおけるページングが失敗した場合、ページング制御部１１は、データベース２０から読み出した在圏エリア情報２１が示す前回エリアに対して、ページングを行う（ステップＳ６）。
【００３７】
図２の例では、最新エリアのエリア２に対して最初のページングを行う。ここで、当該移動機１が、最新エリアのエリア２に留まっていたならば、当該最新エリアにおけるページングに対する応答を得ることができ、当該ページングが成功する。一方、図５に示されるように、当該移動機１が、最新エリアのエリア２から前回エリアのエリア１に戻り当該エリア１の登録要求を一定の時間停止していた場合には、最初の最新エリアにおけるページング（ステップＳ４）に対する応答は得られず、当該ページングは失敗する。しかし、次の前回エリア、つまりエリア１におけるページング（ステップＳ６）では、ページング先の移動機１からの応答を得ることができ、当該ページングは成功する。
【００３８】
このように、データ通信着信時には、さほど通話開始の即時性が要求されないので、在圏エリア情報２１が示す複数のエリアに対して最新のエリアから順次ページングを試みることにより、ページングチャネルの使用数を減らすことが可能となる。
【００３９】
以上、本発明の実施形態を図面を参照して詳述してきたが、具体的な構成はこの実施形態に限られるものではなく、本発明の要旨を逸脱しない範囲の設計変更等も含まれる。
【図面の簡単な説明】
【００４０】
【図１】本発明の一実施形態に係る無線通信ネットワークシステムの構成を示すブロック図である。
【図２】図１に示すデータベース２０に記録されている加入者データに含まれる在圏エリア情報２１の構成例を示す図である。
【図３】図１に示すページング制御部１１の動作フロー図である。
【図４】本発明の一実施形態に係る通話着信時のページング方法を説明するための説明図である。
【図５】本発明の一実施形態に係るデータ通信着信時のページング方法を説明するための説明図である。
【図６】従来のページング方法を説明するための説明図である。
【符号の説明】
【００４１】
１…移動機、２…基地局、３…基地局制御装置、１０…携帯電話交換機、１１…ページング制御部、２０…データベース。
【図１】
2006140704.tif 000003
【図２】
2006140704.tif 000004
【図３】
2006140704.tif 000005
【図４】
2006140704.tif 000006
【図５】
2006140704.tif 000007
【図６】
2006140704.tif 000008